(57)【特許請求の範囲】
【請求項１】
周壁６外周下部を段部S1を介して大径に形成するとともに、大径部6aに縦長窓孔８を穿設し、且つ、窓孔両側の端面内側縁に多数の係止突起９をそれぞれ縦列形成してなる主筒２と、主筒２内下部に摺動上昇可能に嵌合させた周壁10内周上下方向中間部より底壁11を延設してその上方を棒状化粧品嵌合部Ｂとするとともに、底壁11裏面中央部より係止板12を垂設した可動皿部材３と、窓孔８内外側縁に押し込み可能に且つ上昇可能に嵌合させた押圧板15の下部内面より一対の弾性板16を突設するとともに、各弾性板を皿部材周壁10下部に穿設した挿通窓14にそれぞれ押し込み可能に係合させ、且つ、各弾性板先端を係止板12前面に当接させたレバー４とを備え、弾性板16両側より突設した係合突起18を、押圧板15の押し込みによる係合解除が可能に、且つ、任意上昇位置での係止突起９上面への係止が可能に構成したことを特徴とする繰り出し容器。
【請求項２】
上記多数の係止突起９が、波形状に連続的に形成された多数の係止突起９であり、上記各係合突起18が、上下の各係止突起９間に嵌合する係合突起18である請求項１記載の繰り出し容器。
【発明の詳細な説明】
【０００１】
【発明の属する技術分野】
本発明は繰り出し容器に関する。
【０００２】
【従来の技術】
口紅等の棒状化粧品を収納し、使用時にキャップを外した筒状の容器体から棒状化粧品の先端を繰り出して使用する繰り出し容器が一般に知られている。
【０００３】
これらは例えば、下端部を把持部として構成するとともに、把持部上方の筒壁に割り溝を縦設させた主筒と、主筒の少なくとも割り溝縦設部分外周を被覆して回動可能に嵌合させるとともに、内面に螺条溝を穿設させた回動筒と、主筒内に上下動可能に嵌合させるとともに、外面より突出させたピンの先端を割り溝を介して螺条溝に係合させ、且つ棒状化粧品の下端部を固定させる化粧品固定筒とを備え、回動筒に対する主筒の回動により化粧品固定筒が上下動する如く構成したものが知られている。
【０００４】
【発明が解決しようとする課題】
従来品では使用中に化粧品固定筒が下がってしまうことがあり、また、保管，運搬中に外力により化粧品固定筒が上昇して棒状化粧品先端がキャップ裏面に衝突するといった不都合を生じる虞があった。
【０００５】
本発明はこの様な点を考慮してなされたもので、保管，運搬等の不使用時には化粧品を固定する可動皿部材の外力による上昇を防止でき、ひいては化粧品のキャップ裏面への衝突を防止し、使用時には可動皿部材を任意位置に確実に係止して、棒状化粧品を押圧した程度では引っ込むことがなく、使勝手の良い繰り出し容器を提案するものである。
【０００６】
【課題を解決するための手段】
本請求項１発明の繰り出し容器は、上記課題を解決するため、周壁６外周下部を段部S1を介して大径に形成するとともに、大径部6aに縦長窓孔８を穿設し、且つ、窓孔両側の端面内側縁に多数の係止突起９をそれぞれ縦列形成してなる主筒２と、主筒２内下部に摺動上昇可能に嵌合させた周壁10内周上下方向中間部より底壁11を延設してその上方を棒状化粧品嵌合部Ｂとするとともに、底壁11裏面中央部より係止板12を垂設した可動皿部材３と、窓孔８内外側縁に押し込み可能に且つ上昇可能に嵌合させた押圧板15の下部内面より一対の弾性板16を突設するとともに、各弾性板を皿部材周壁10下部に穿設した挿通窓14にそれぞれ押し込み可能に係合させ、且つ、各弾性板先端を係止板12前面に当接させたレバー４とを備え、弾性板16両側より突設した係合突起18を、押圧板15の押し込みによる係合解除が可能に、且つ、任意上昇位置での係止突起９上面への係止が可能に構成したことを特徴とする繰り出し容器として構成した。
【０００７】
また、請求項２発明の繰り出し容器は、上記多数の係止突起９が、波形状に連続的に形成された多数の係止突起９であり、上記各係合突起18が、上下の各係止突起９間に嵌合する係合突起18である請求項１記載の繰り出し容器として構成した。
【０００８】
【発明の実施の形態】
以下、本発明の実施例の形態を図面を参照して説明する。
【０００９】
本発明の繰り出し容器１は、主筒２と、可動皿部材３と、レバー４とを備えている。
【００１０】
主筒２は、底壁５周縁部より周壁６を立設した上端開口の有底筒状をなし、周壁６外周下部を上向きの段部S1を介して大径に形成するとともに、該周壁大径部6aに縦長窓孔８を穿設し、また、窓孔８両側端面内側縁に多数の係止突起９を縦列形成している。図示例では、図５に示す如く、窓孔８の外面側を段部S2を介して広げ、幅の狭い部分の対峙する端面にそれぞれ係止突起９を設けている。各係止突起９は波形状に連続形成されている。
【００１１】
可動皿部材３は、棒状化粧品を支持して上下動させるもので、主筒２内下部に上昇可能に嵌合させた周壁10内周上下方向中間部より底壁５を延設し、その上部を棒状化粧品Ａ基端部を嵌着固定する棒状化粧品嵌合部Ｂに形成している。また、底壁５裏面中央部より窓孔８と対峙する係止板12を垂設している。
【００１２】
また、周壁10上端縁を上方へ広がるテーパ状の摺動部10a に形成し、周壁10外周下端部より摺動突条13を突周設し、摺動部10a を窓孔８直上の主筒周壁６内周に、摺動突条13を主筒周壁６内周下端部に、それぞれ摺動可能に嵌合させることにより、その中間部分を主筒内面と隙間をあけて上下動が行い易く構成している。また、周壁10下部前部には、レバー４の後述弾性板を挿通するための正面視縦長矩形状をなす挿通窓14を穿設している。
【００１３】
レバー４は、窓孔８内外側縁に押し込み可能且つ上昇可能に嵌合させた押圧板15の下部内面より上下一対の水平弾性板16，16を突設するとともに、上記挿通窓14上辺に上部の弾性板16上面を、下辺に下部の弾性板16下面を、それぞれ押し込み可能に係合させ、また、弾性板先端を上記係止板12前面に当接させている。
【００１４】
上方の弾性板16は先端部が上方へ湾曲し、下方の弾性板16は先端部が下方へ湾曲し、押圧板15を押し込んだ際に上下に広がりつつ摺動して弾性変形する如く構成している。また、上方の弾性板16上面及び下方の弾性板16下面に皿部材周壁10内面に係合する係合突部17，17を突設してレバー４の外方への抜け出しの防止を図っている。従って、レバー４の上昇に伴い可動皿部材３が上昇し、レバーが下降する際には可動皿部材３も下降し、それに伴って棒状化粧品Ａが主筒２上端開口より出入りする如く構成している。
【００１５】
また、本発明では、弾性板16両側より突設した係合突起18を、押圧板15の押し込みによる係合解除が可能に、且つ、任意上昇位置での対応係止突起９上面への係合が可能に構成している。従って、任意位置まで上昇させた可動皿部材３は係合突起18と係止突起９との係合により、棒状化粧品Ａを押圧しても押し込まれない様に構成している。尚、図示例では、波形状に連続形成されている上下の各係止突起９間に嵌合する形状に係合突起18の形状を構成している。
【００１６】
尚、主筒２外周上部にはキャップ19を嵌着させる。また、上記各部材は合成樹脂により形成すると良い。
【００１７】
上記の如く構成した繰り出し容器１は、キャップ19を外し、押圧板15を押し込みつつズリ上げると、弾性板16により可動皿部材３を押し上げ、棒状化粧品Ａ先端を主筒２上端開口より突出させる。次いで押圧板15の押圧を解除すれば、各弾性板16の弾性復元とともに、押圧板15が外方へ移行し、各係合突起18が任意上昇位置での係止突起９上面に係止され、レバー４及び可動皿部材３の下降を防止する。
【００１８】
【発明の効果】
以上説明した如く本発明の繰り出し容器は、既述構成としたことにより、押圧板を押圧し、係合突起と係止突起との係合を外した状態でレバーを押し上げ或いは押し下げするため、運搬，保管等の不使用時に外力で可動皿部材が上昇する虞はなく、キャップ裏面に化粧品先端が衝突するという様な不都合を生じる虞はない。同様に容器を使用する際に化粧品が主筒内に押し込まれる様な不都合を生じることはない。しかも、きわめて簡単な構造であり、製造が容易で、組み立ても極めて簡単である。
【００１９】
また、多数の係止突起を波形状に連続的に形成された多数の係止突起として構成し、各係合突起を、上下の各係止突起間に嵌合する係合突起として構成したものにあっては、任意位置での係合突起の係止突起への係合が円滑に行える利点を兼ね備えている。
【図面の簡単な説明】
【図１】本発明の一実施例を示す半断面図である。
【図２】同実施例の主筒の斜視図である。
【図３】同実施例の可動皿部材の斜視図である。
【図４】同実施例のレバーの斜視図である。
【図５】同実施例の下方の弾性板部分の横断面図である。
【符号の説明】
２…主筒，３…可動皿部材，４…レバー，５…主筒底壁，６…主筒周壁，
6a…大径部，８…窓孔，９…係止突起，10…皿部材周壁，12…係止板，
14…挿通窓，15…押圧板，16…弾性板，18…係合突起，S1…段部
【図１】
0003803953.tif 000002
【図２】
0003803953.tif 000003
【図３】
0003803953.tif 000004
【図４】
0003803953.tif 000005
【図５】
0003803953.tif 000006